(57)【特許請求の範囲】
【請求項１】
取付面から大略垂直上方へ延びる垂直姿勢と、取付面と大略平行に延びる水平姿勢との間の任意の傾斜角度を取れるように長手方向の各基端部で取付面に回動自在に取り付けられ、長手方向の各二箇所以上で折り畳み可能に構成された複数の縦フレームと、
隣接する縦フレーム間で縦フレームと大略直交する方向へ延びる横フレームと、
縦フレームと横フレームの少なくとも一方に設けられ、被支持体を着脱自在に係止する係止部と、
縦フレームの基端部の後面側に形成され、当該縦フレームの後方側への回動を防止するストッパ片とを備え、
上記被支持体が当該可動フレーム装置内の大略全面を覆う面状の遮蔽体であり、該遮蔽体が、上記取付面付近に植えられた植物をからませることのできる網状体であることを特徴とする可動フレーム装置。
【請求項２】
上記縦フレームが、下端部が基礎に支持される基部フレームと、基部フレームの上端部に回動自在に接続された中間フレームと、中間フレームの上端部に回動自在に接続された先頭フレームとからなり、
上記ストッパ片が、中間フレームの基端部の後面側に形成され、基部フレームの上端部の後面側に当接して中間フレームの後方側への回動を防止することにより、中間フレームの回動可動範囲は、垂直位置と水平位置との間の大略９０°の角度範囲となり、
上記ストッパ片が、先頭フレームの基端部の後面側に形成され、中間フレームの上端部の後面側に当接して先頭フレームの後方側への回動を防止することにより、先頭フレームは、中間フレームの延長線上で大略一直線に延びる伸張位置と、中間フレームと同一側に折り返される折り畳み位置との間の大略１８０゜の範囲内で回動自在とされていることを特徴とする請求項１記載の可動フレーム装置。
【請求項３】
上記係止部が各縦フレームと横フレームとに各々設けられることを特徴とする請求項１又は２記載の可動フレーム装置。
【発明の詳細な説明】
【０００１】
【発明の属する技術分野】
本発明は、住宅の庭の周囲やベランダ等に設置され、日除けや目隠し等の目的で用いられる可動フレーム装置に関するものである。
【０００２】
【従来の技術】
住宅の庭の周囲等に設置する遮蔽構造としては、コンクリートブロックを用いた塀や金網式のフェンス、生け垣等が一般的である。特に、伝統的に用いられている生け垣は、単なる遮蔽としての役割ばかりでなく、植物の緑で目を楽しませることもできる利点がある。
【０００３】
【発明が解決しようとする課題】
ところが、従来の遮蔽構造は、通常、高さが人の身長以下程度であるから、日除けや目隠しとしては高さが不足し、その機能を十分に発揮できない場合があった。また、高層の集合住宅のベランダ等においても、日除けや目隠しとして用いるために、十分な高さを有する簡易な遮蔽構造が求められていた。
【０００４】
【課題を解決するための手段】
本発明は前記の課題を解決するため、日除けや目隠し等に好適に使用できる可動フレーム装置を提供することを目的とする。
そのため、本発明の請求項１の可動フレーム装置は、取付面から大略垂直上方へ延びる垂直姿勢と、取付面と大略平行に延びる水平姿勢との間の任意の傾斜角度を取れるように長手方向の各基端部で取付面に回動自在に取り付けられ、長手方向の各二箇所以上で折り畳み可能に構成された複数の縦フレームと、隣接する縦フレーム間で縦フレームと大略直交する方向へ延びる横フレームと、縦フレームと横フレームの少なくとも一方に設けられ、被支持体を着脱自在に係止する係止部と、縦フレームの基端部の後面側に形成され、当該縦フレームの後方側への回動を防止するストッパ片とを備え、上記被支持体が当該可動フレーム装置内の大略全面を覆う面状の遮蔽体であり、該遮蔽体が、上記取付面付近に植えられた植物をからませることのできる網状体であることを特徴とするものである。
【０００５】
請求項２の可動フレーム装置は、請求項１の構成において、上記縦フレームが、下端部が基礎に支持される基部フレームと、基部フレームの上端部に回動自在に接続された中間フレームと、中間フレームの上端部に回動自在に接続された先頭フレームとからなり、上記ストッパ片が、中間フレームの基端部の後面側に形成され、基部フレームの上端部の後面側に当接して中間フレームの後方側への回動を防止することにより、中間フレームの回動可動範囲は、垂直位置と水平位置との間の大略９０°の角度範囲となり、上記ストッパ片が、先頭フレームの基端部の後面側に形成され、中間フレームの上端部の後面側に当接して先頭フレームの後方側への回動を防止することにより、先頭フレームは、中間フレームの延長線上で大略一直線に延びる伸張位置と、中間フレームと同一側に折り返される折り畳み位置との間の大略１８０゜の範囲内で回動自在とされていることを特徴とするものである。
【０００６】
請求項３の可動フレーム装置は、請求項１又は２の構成において、上記係止部が各縦フレームと横フレームとに各々設けられることを特徴とするものである。
【０００８】
【発明の実施の形態】
以下、本発明の実施の形態を図面に基づいて説明する。図１には、可動フレーム装置１（以下、単にフレーム装置１という）を、例えば、住宅の庭の周縁部における地面Ｇ（取付面）上に設置し、かつ当該フレーム装置１に垂直伸張姿勢を取らせた状態を示している。フレーム装置１は、上記垂直伸張姿勢において、全体として大略矩形状をなすフレーム本体２と、フレーム本体２内の上部領域及び下部領域を各々覆う面状の遮蔽体としての１対のネット３（網状体）を備えている。ネット３はフレーム本体２により支持される被支持体をなす。
【０００９】
フレーム本体２は、左右１対の縦フレーム４と、これら縦フレーム４の基端部（図１の下端部）間、中間部間及び先端部（図１の上端部）間で各々縦フレーム４と大略直交する方向へ延びる３個の横フレーム５、６、７とからなる。フレーム本体２の各部は、鉄、アルミニウムもしくはステンレス鋼等の金属又は合成樹脂で形成されるとともに、ネット３は合成樹脂等で形成されている。なお、ネット３を植物性材料であるシュロ縄で形成すれば、後述の植物３５が枯れた際に植物３５とネット３とを可燃ごみとして一括して廃棄したり、堆肥化することもできる。
【００１０】
上記１対の縦フレーム４は、後述する接続部材２６、２８及び係止部３１が互いに逆の側面、つまり、フレーム本体２の内側の側面に取り付けられている以外は同一構成であるので、以下、図１中の左側の縦フレーム４につき説明する。この縦フレーム４は、下端部が住宅の庭における土壌中に埋設されたコンクリート製の基礎１０の孔１０ａに大略垂直に挿入されて支持される基部フレーム１１と、基部フレーム１１の上端部に回動自在に接続された中間フレーム１２と、中間フレーム１２の先端部に回動自在に接続された先頭フレーム１３とからなる。
【００１１】
基部フレーム１１と中間フレーム１２との回動接続部Ａ付近の拡大正面図を図２に、拡大分解斜視図を図３に、拡大側面図を図４に示す。例えば、基部フレーム１１の上端部に設けた狭幅部１４ａが、中間フレーム１２の基端部に設けた左右１対の挟持部１５ａで挟み込まれ、これら挟持部１５ａの両側に１対の座金１６ａが配置されている。そして、支軸１７ａが狭幅部１４ａ、挟持部１５ａ及び１対の座金１６ａに各々設けた孔に貫通されることにより、狭幅部１４ａと挟持部１５ａ、つまり、基部フレーム１１と中間フレーム１２が回動自在に接続されている。
【００１２】
更に、一方の座金１６ａの外側にはハンドル１８ａが配置され、支軸１７ａの外周に形成された雄ねじ１９ａが、ハンドル１８ａに設けられた雌ねじ２０ａに螺合されている。これにより、ハンドル１８ａを一方向へ回して雌ねじ２０ａを雄ねじ１９ａにねじ込んでゆくと、１対の座金１６ａが互いに接近する方向へ支軸１７ａの軸方向の圧力が作用するので、基部フレーム１１と中間フレーム１２とが所定の傾斜角度で固定されるようになっている。
【００１３】
一方、ハンドル１８ａを逆方向へ回して雌ねじ２０ａを雄ねじ１９ａの結合状態を緩めると、座金１６ａから挟持部１４ａに加わる軸方向の圧力が軽減し、図５中（ｂ）に示すように、基部フレーム１１に対して中間フレーム１２を回動させることができるようになる。
【００１４】
なお、中間フレーム１２の基端部の後面側には、基部フレーム１１の上端部の後面側に当接して中間フレーム１２の後方側への回動を防止するストッパ片２２ａが形成されている。これにより、中間フレーム１２の回動可能範囲は、図５中（ａ）の垂直位置と、図示しない水平位置（前方側へ大略９０゜回動した位置）との間の大略９０゜の角度範囲となる。
【００１５】
基部フレーム１１の上端部近傍及び中間フレーム１２の基端部近傍の各後面側には、各々鉤状部２３ａ、２４ａが形成され、これらの鉤状部２３ａ、２４ａ間にゴムひも又はばね等の付勢部材２５ａが介設されて、中間フレーム１２が垂直姿勢側へ付勢されている。
【００１６】
図５中（ａ）に示すように、中間フレーム１２と先頭フレーム１３との間の回動接続部Ｂは、基本的に基部フレーム１１と中間フレーム１２との間の回動接続部Ａと同様に構成されている。すなわち、中間フレーム１２の先端部（図の上端部）における狭幅部１４ｂが先頭フレーム１３の基端部（図の下端部）に設けた１対の挟持部１５ｂで回動自在に挟持され、それ以外の部位も基本的に同様である。従って、ここでは、回動接続部Ａにおける各構成部材１４ａ乃至２５ａにおけるサフィックス「ａ」を「ｂ」に変更して図示し、重複した説明を省略する。
【００１７】
但し、回動接続部Ｂでは、狭幅部１４ｂ及び挟持部１５ｂが各々前面側（図中右側）に湾曲しながら張り出す形状に形成されることにより、支軸１７ｂが中間フレーム１２及び先頭フレーム１３の図中、前後方向中央位置より前方側へずらして配置されている。
【００１８】
これにより、先頭フレーム１３は、図５中（ａ）のように、中間フレーム１２の延長線上で大略一直線に延びる伸張位置と、同図中（ｂ）のように、中間フレーム１２と同一側に折り返される折り畳み位置との間の大略１８０゜の範囲内で回動自在とされている。
【００１９】
図２に示したように、中間フレーム１２の基端部近傍の一側面には、中間フレーム１２と直交する方向に延びる中空の接続部材２６が固定されている。そして、横フレーム５の端部に設けた小径部５ａが、上記接続部材２６の端部内に嵌合され、接続部材２６のねじ孔２６ａに螺合する止めねじ２７の先端を小径部５ａに圧接させることにより、横フレーム５が中間フレーム１２に取り外し可能に接続されるようになっている。
【００２０】
また、図１に示したように、中間フレーム１２の先端部近傍の一側面には、今一つの中空の接続部材２８が固定され、上記と同様の方法で、横フレーム６が中間フレーム１２に取り外し可能に接続されるようになっている。
【００２１】
図６に示すように、先頭フレーム１３の先端部及び横フレーム７の端部には、各々小径部１３ａ、７ａが設けられ、これらの小径部１３ａ、７ａが中空でＬ字形の接続部材３０の２方向の各端部内に嵌合されて、各ねじ孔３０ａに螺合する止めねじ２７の先端を小径部１３ａ、７ａに圧接させることにより、接続部材３０を介して先頭フレーム１３と横フレーム７とが互いに大略直角に接続されるようになっている。
【００２２】
図１に示したように、１対の縦フレーム４の対向する側面、隣接する横フレーム５、６の対向面、及び隣接する横フレーム６、７の対向面には、上述した１対のネット３を取り付けるための半円状の係止部３１が各々複数設けられている。そして、一方のネット３は、各縦フレーム４における中間フレーム１２と横フレーム５、６とで囲まれた領域内に、他方のネット３は、各縦フレーム４における先頭フレーム１３と横フレーム６、７とで囲まれた領域内に各々着脱自在に取り付けられる。
【００２３】
図６に示したように、係止部３１に対するネット３の取付には、例えば、両端に鉤状部３２ａを有するコイルばね３２が用いられ、一方の鉤状部３２ａがネット３の周縁部に、他方の鉤状部３２ａが係止部３１に各々着脱自在に引っ掛けられる。なお、複数のコイルばね３２の各一端部を、予めネット３の周縁部に固定しておいてもよい。
【００２４】
図１に示したように、横フレーム７の中間部近傍に設けた係止部３１には、操作ひも３３の一端部が固定されている。図７中（ａ）に示すように、この操作ひも３３は、横フレーム６から後方側に延びる延長部材３９の後端に設けた係止部３９ａを経由し、フレーム本体２の下端部近傍まで下垂されている。
【００２５】
上記構成において、フレーム装置１を植物を用いた遮蔽構造として使用する場合、フレーム本体２の下方の一定範囲の土壌に土壌改良を施したり、図８に示すように、植物の生育に良好な肥料成分等を含む培養土３４と入れ替え、この培養土３４に植物の種子又は苗木等を植えて栽培すると、植物３５はネット３にからみ付きながら成長する。
【００２６】
使用する植物としては、ネット３にからみ付きやすい、つる性植物、例えば、むべ、つきぬきにんどう、あけび、へちま、やぶがらし等が好適である。なお、図８には、フレーム装置１を一つのみ示しているが、実際には、複数のフレーム装置１を横方向に並設して、各フレーム装置１に沿って植物３５を成長させることも可能である。
【００２７】
図８の垂直伸張姿勢におけるフレーム装置１の高さを、例えば、３ｍ程度としておけば、植物３５による遮蔽効果により、日除けや目隠しとして、十分な機能を発揮できる。なお、フレーム装置１の高さは、住宅本体の高さやフレーム装置１の設置場所等により、適宜増減できる。図９中（ａ）は図８の垂直伸張姿勢に対応する縮小側面図であり、符号３６は、住宅本体を示している。
【００２８】
この状態から、例えば、図９中（ｂ）のように、フレーム本体２の上部、つまり、縦フレーム４における先頭フレーム１３のみを住宅３６側に傾斜させて、植物２５の手入れを行ったり、緑陰を楽しみたい場合、各縦フレーム４の上側の回動接続部Ｂにおけるハンドル１８ｂ（図５参照）を緩め側に回して先頭フレーム１３と中間フレーム１２との間の固定状態を解除し、各先頭フレーム１３を各中間フレーム１２に対して回動させることにより、フレーム本体２の上部を所望角度だけ住宅３６側に傾斜させた後、ハンドル１８ｂを固定側に回して先頭フレーム１３を中間フレーム１２に対して固定すればよい。
【００２９】
上記回動作業時に、植物３５の重量により、付勢部材２５のみでフレーム本体２の上部を支持しきれない場合は、図７中（ｂ）に示すように、一端が横フレーム７に接続された上記操作ひも３３を他端を操作者３７が把持し、操作ひも３３を介してフレーム本体２の上部の重量を操作者３７が支持しながら、フレーム本体２の上部の重量自体により所望の傾斜角度まで傾斜させればよい。
【００３０】
また、強風時等でフレーム装置１を垂直伸張状態としておくことが危険な場合、もしくは、遮蔽の高さを低くしたい場合には、図９中（ｃ）に示すように、フレーム本体２の上部を大略１８０゜下向きに回動させ、折り畳み状態とすることができる。
【００３１】
更に、台風等による烈風時には、図９中（ｄ）に示すように、下側の回動接続部Ａにおけるハンドル１８ａを緩め側に回して、各縦フレーム４における中間フレーム１２を基部フレーム１１に対して住宅３６側に大略水平位置まで回動させればよい。その場合、植物３５として、上記した各種つる性植物等の柔軟性を有するものを使用していれば、図９中（ａ）乃至（ｄ）の回動作業は、植物３５をネット３にからませた状態のままで実行できる。
【００３２】
上記フレーム装置１を収納する場合、各縦フレーム４の基部フレーム１１を基礎１０の孔１０ａから引き抜き、図１０に示すように、ネット３を取り外すとともに、各止めねじ２７を外して縦フレーム５と各横フレーム５、６、７とを分解することができる。
【００３３】
また、フレーム本体２を分解せずに、ネット３のみを取り外し、各縦フレーム４を回動接続部Ｂで折り畳むのみの状態で収納することもできる。なお、フレーム装置１を基礎１０から引き抜いた状態では、図１１に示すように、基礎１０の孔１０ａに蓋体３８を被せて、ごみ等が侵入しないようにしておくことができる。
【００３４】
図１２にフレーム装置１の他の使用方法を示す。ここでは、フレーム本体２を垂直伸張状態とし、ネット３の代わりに、１対の遮蔽用の布４０をフレーム本体２内の大略全域を覆うようにコイルばね３２で取り付けている。
【００３５】
図１３は更に他の使用方法を示し、ここでは、フレーム本体２の上部、つまり、各先頭フレーム１３を回動接続部Ｂで大略１８０゜折り畳んで、フレーム本体２の高さを垂直伸張状態の約１／２とした状態で、横フレーム６の係止部３１に、Ｓ字形金具４１及び吊り具４２を介して植木鉢４３等を吊り下げている。なお、図１３の状態で、横フレーム６を用いて物干しを行うこともできる。
【００３６】
図１４は図１のフレーム装置１の変形例を示すものである。ここでは、各縦フレーム４の両側面に接続部２６、２８及び係止部３１を設けるとともに、Ｌ字形の接続部材３０に代えて、Ｔ字形の接続部材４４を用いることにより、複数ユニットのフレーム装置１を横方向に連設する際に、隣接するユニット同士で縦フレーム４を共用できるようにして、部品点数の削減を図っている。
【００３７】
図１５に本発明の別の実施の形態を示す。この実施の形態では、高層の集合住宅等におけるベランダ４５の床面４６（取付面）上に１対のコンクリート製の基礎４７を一体に設けるとともに、これらの基礎４７間にコンクリート製のプランタ４８（植栽容器）を床４６と一体に設け、プランタ４８内に培養土５０を入れてつる性等の植物３５を栽培している。
【００３８】
フレーム装置１は上記実施の形態と同様の構成であって、基礎４７の孔に各縦フレーム４の下端部を挿入することにより、ベランダ４５上に設置している。なお、簡単のため、図１５では、係止部３１やネット３は図示を省略している。
【００３９】
ベランダ４５上に設置する場合、ベランダ４５の奥行寸法及び高さを考慮し、垂直伸張姿勢におけるフレーム装置１の高さは、戸建て住宅の庭等に設置する場合よりは低く、例えば、２ｍ程度とするのが好適である。この程度の寸法であれば、フレーム本体２上部の折り曲げやフレーム本体２全体の折り畳みをベランダ４５上で無理なく実行できる。
【００４０】
なお、基礎４７やプランタ４８は、必ずしもベランダ４６の床４７にコンクリートにより作り付け式に設ける必要はなく、コンクリート製等のブロック状の基礎を床４７上に載置したり、合成樹脂等からなるプランタを床４７上に載置して用いることもできる。上記各実施の形態では、縦フレーム４に１対の回動接続部Ａ、Ｂを設けて、２段階の折り畳みを可能としているが、縦フレーム４の下端部近傍に一つの回動接続部Ａのみを設けて、垂直姿勢と水平姿勢との間で回動自在とするのみでもよい。なお、各縦フレーム４を、例えば、上下に２分割できるようにして、可動フレーム装置１の高さが必要でない場合には、上半分又は下半分のみを使用できるようにしてもよい。
【００４１】
【発明の効果】
本発明の請求項１の可動フレーム装置は、取付面（地面又はベランダの取付面等）から大略垂直上方へ延びる垂直姿勢と、取付面と大略平行に延びる水平姿勢との間の任意の傾斜角度を取れるように長手方向の各基端部で取付面に回動自在に取り付けられた複数の縦フレームと、隣接する縦フレーム間で縦フレームと大略直交する方向へ延びる横フレームと、縦フレームと横フレームの少なくとも一方に設けられ、被支持体を着脱自在に係止する係止部とを備えたものであるから、通常は、各縦フレームを垂直姿勢とした状態で、上記係止部に所望の被支持体を係止して使用したり、横フレームを物干し具として使用する等、多目的のフレーム装置として使用でき、便利である。
【００４２】
また、必要により、係止部に所望の被支持体を係止した状態で、各縦フレームを垂直姿勢と水平姿勢との間の任意の傾斜角度に傾斜させて使用することもでき、強風時等には、各縦フレームを取付面に沿って水平姿勢に維持して損傷を防止することができる。
【００４３】
また、上記縦フレームが長手方向の各二箇所以上で折り畳み可能に構成されているので、不使用時には、被支持体を取り外した状態で、各縦フレームを折り畳んで収納することも可能である。
【００４４】
請求項１の可動フレーム装置は、上記被支持体が当該可動フレーム装置内の大略全面を覆う面状の遮蔽体であるから、本可動フレーム装置を住宅の庭の周囲や高層住宅のベランダ等に設置して、上記面状の遮蔽体を取り付けることにより、簡易な遮蔽構造を得ることができる。
【００４５】
その場合、上記垂直姿勢での高さを十分に確保しておけば（例えば、３ｍ程度）、日除けや目隠しとしての作用効果は十分なものとなるとともに、台風による強風時等には、必要により遮蔽体を取り外した上で、縦フレームを折り畳むことにより、容易に収納することができる。
【００４６】
請求項１の可動フレーム装置は、上記遮蔽体が、上記取付面付近に植えられる植物をからませることのできる網状体であるから、上記植物により、日除けや目隠しとしての機能を得るとともに、植物の緑により目を楽しませることもでき、生け垣に類似した簡易な遮蔽構造を得ることができる。また、つる性植物等の茎や枝等が十分な柔軟性を有する植物を使用すれば、植物を網状体にからませたままの状態で、縦フレームを折り畳んで収納することも可能である。
【図面の簡単な説明】
【図１】本発明の実施の形態における可動フレーム装置を示す正面図。
【図２】上記可動フレーム装置のフレーム本体の下側の回動接続部付近を示す拡大正面図。
【図３】上記回動接続部付近を示す拡大側面図。
【図４】上記回動接続部付近を示す拡大分解斜視図。
【図５】上記フレーム本体の上側の回動接続部付近を示す拡大側面図
【図６】上記フレーム本体の上端コーナ部付近を示す拡大正面図。
【図７】上記可動フレーム装置の上部を折り曲げる様子を示す縮小側面図。
【図８】上記可動フレーム装置に沿って植物を成長させた状態を示す正面図。
【図９】上記可動フレーム装置を順次折り曲げ又は折り畳む様子を示す概略側面図。
【図１０】上記可動フレーム装置を分解した状態を示す正面図。
【図１１】上記可動フレーム装置を取り付ける基礎に蓋体を被せた状態を示す斜視図。
【図１２】上記可動フレーム装置の他の使用方法を示す正面図。
【図１３】上記可動フレーム装置の更に他の使用方法を示す正面図。
【図１４】上記可動フレーム装置の変形例を示す部分正面図。
【図１５】本発明の他の実施の形態における可動フレーム装置を示す概略斜視図。
【符号の説明】
１  可動フレーム装置
３  ネット（被支持体である遮蔽体）
４  縦フレーム
５、６、７  横フレーム
３５  植物
Ｇ  地面（取付面）
【図１】
0003758498.tif 000002
【図２】
0003758498.tif 000003
【図３】
0003758498.tif 000004
【図４】
0003758498.tif 000005
【図５】
0003758498.tif 000006
【図６】
0003758498.tif 000007
【図７】
0003758498.tif 000008
【図８】
0003758498.tif 000009
【図９】
0003758498.tif 000010
【図１０】
0003758498.tif 000011
【図１１】
0003758498.tif 000012
【図１２】
0003758498.tif 000013
【図１３】
0003758498.tif 000014
【図１４】
0003758498.tif 000015
【図１５】
0003758498.tif 000016